(57)【特許請求の範囲】
【請求項１】
大梁間に小梁を接合する梁・梁接合構造であって、
前記小梁の端部に、前記大梁間と前記小梁の長さとの誤差を吸収可能な形状の接合部材の内側が予め取り付けられており、前記小梁は前記大梁間に挿入され、前記接合部材の外側が前記大梁のウェブ部に接合されており、
前記接合部材は、前記小梁の端部のウェブ部に取り付けられる取り付け面と当該取り付け面の近傍の折り曲げ部で折り曲げられた折り曲げ面と前記大梁のウェブ面に接合される折り返し部で折り返された折り返し面とを有しており、前記折り曲げ面と前記折り返し面との間には、前記大梁間と前記小梁の長さとの誤差を吸収可能な隙間が設けられた形状であり、
前記大梁のウェブ部と前記接合部材の前記折り返し面及び前記折り曲げ面とは、前記大梁のウェブ部側から締結部材で締付け固定して接合されていることを特徴とする梁・梁接合構造。
【請求項２】
前記締結部材は、タッピングビスであることを特徴とする請求項１に記載の梁・梁接合構造。
【請求項３】
柱間に梁を接合する柱・梁接合構造であって、
前記梁の端部に、前記柱間と前記梁の長さとの誤差を吸収可能な形状の接合部材の内側が予め取り付けられており、前記梁は前記柱間に挿入され、前記接合部材の外側が前記柱のウェブ部に接合されており、
前記接合部材は、前記梁の端部のウェブ部に取り付けられる取り付け面と当該取り付け面の近傍の折り曲げ部で折り曲げられた折り曲げ面と前記柱のウェブ面に接合される折り返し部で折り返された折り返し面とを有しており、前記折り曲げ面と前記折り返し面との間には、前記柱間と前記梁の長さとの誤差を吸収可能な隙間が設けられた形状であり、
前記柱のウェブ部と前記接合部材の前記折り返し面及び前記折り曲げ面とは、前記柱のウェブ部側から締結部材で締付け固定して接合されていることを特徴とする柱・梁接合構造。
【請求項４】
前記締結部材は、タッピングビスであることを特徴とする請求項３に記載の柱・梁接合構造。
【発明の詳細な説明】
【技術分野】
【０００１】
本発明は、大梁間に小梁を接合する梁・梁接合構造及び柱間に梁を接合する柱・梁接合構造に関するものである。
【背景技術】
【０００２】
従来、大梁間に小梁を接合する梁・梁接合構造では、一般的に、大梁のウェブ部間にガゼットプレートなどの接合部材を介して小梁を挿入して接合している（例えば特許文献１等を参照）。
【０００３】
また、従来、柱間に梁を接合する柱・梁接合構造では、一般的に、柱のフランジ部間にガゼットプレートなどの接合部材を介して梁を挿入して接合している（例えば特許文献２等を参照）。
【特許文献１】特開２００７−３３２６１５号公報
【特許文献２】特公昭６３−５３３３８号公報
【発明の開示】
【発明が解決しようとする課題】
【０００４】
しかしながら、上記した従来の梁・梁接合構造においては、大梁の建て方精度のバラツキなどにより大梁間と小梁の長さとの間に誤差が生ずる。
【０００５】
このため、大梁のウェブ部側にまずはガゼットプレートなどの接合部材を設け、その後、これらの接合部材間に、前記した大梁間と小梁の長さとの間の誤差を調整できるように小梁を挿入して溶接接合又はボルト接合などにより接合しなければならず、施工性が良くないので、不経済であった。
【０００６】
また、上記した従来の柱・梁接合構造においては、柱の建て方精度のバラツキなどにより柱間と梁の長さとの間に誤差が生ずる。
【０００７】
このため、柱のフランジ部側にまずはガゼットプレートなどの接合部材を設け、その後、これらの接合部材間に、前記した柱間と梁の長さとの間の誤差を調整できるように梁を挿入して溶接接合又はボルト接合などにより接合しなければならず、施工性が良くないので、不経済であった。
【０００８】
そこで、本発明は、施工性が良く、経済的に実施できる梁・梁接合構造及び柱・梁接合構造を提供することを目的としている。
【課題を解決するための手段】
【０００９】
前記目的を達成するために、本発明の梁・梁接合構造は、大梁間に小梁を接合する梁・梁接合構造であって、前記小梁の端部に、前記大梁間と前記小梁の長さとの誤差を吸収可能な形状の接合部材の内側が予め取り付けられており、前記小梁は前記大梁間に挿入され、前記接合部材の外側が前記大梁のウェブ部に接合されていることを特徴とする。
【００１０】
ここで、前記接合部材は、前記小梁の端部のウェブ部に取り付けられる取り付け面と当該取り付け面の近傍の折り曲げ部で折り曲げられた折り曲げ面と前記大梁のウェブ面に接合される折り返し部で折り返された折り返し面とを有しており、前記折り曲げ面と前記折り返し面との間には、前記大梁間と前記小梁の長さとの誤差を吸収可能な隙間が設けられた形状であるとよい。
【００１１】
また、前記大梁のウェブ部と前記接合部材の前記折り返し面及び前記折り曲げ面とは、前記大梁のウェブ部側から締結部材で締付け固定して接合されているとよい。
【００１２】
さらに、前記締結部材は、タッピングビスであるとよい。
【００１３】
本発明の柱・梁接合構造は、柱間に梁を接合する柱・梁接合構造であって、前記梁の端部に、前記柱間と前記梁の長さとの誤差を吸収可能な形状の接合部材の内側が予め取り付けられており、前記梁は前記柱間に挿入され、前記接合部材の外側が前記柱のウェブ部に接合されていることを特徴とする。
【００１４】
ここで、前記接合部材は、前記梁の端部のウェブ部に取り付けられる取り付け面と当該取り付け面の近傍の折り曲げ部で折り曲げられた折り曲げ面と前記柱のウェブ面に接合される折り返し部で折り返された折り返し面とを有しており、前記折り曲げ面と前記折り返し面との間には、前記柱間と前記梁の長さとの誤差を吸収可能な隙間が設けられた形状であるとよい。
【００１５】
また、前記柱のウェブ部と前記接合部材の前記折り返し面及び前記折り曲げ面とは、前記柱のウェブ部側から締結部材で締付け固定して接合されているとよい。
【００１６】
さらに、前記締結部材は、タッピングビスであるとよい。
【発明の効果】
【００１７】
このような本発明の梁・梁接合構造は、小梁の端部に、大梁間と小梁の長さとの誤差を吸収可能な形状の接合部材の内側が予め取り付けられており、小梁は大梁間に挿入され、接合部材の外側が大梁のウェブ部に接合されている構成とされている。よって、小梁の端部に、大梁間と小梁の長さとの誤差を吸収可能な形状の接合部材の内側が予め取り付けられているため、それを大梁間に挿入して接合するだけでよく、大梁側にガゼットプレートなどの接合部材を予め取り付けておく従来の梁・梁接合構造と比して施工性が良い。そのうえ、このように施工性が良いため、ひいては経済的に実施できる。
【００１８】
ここで、接合部材が、小梁の端部のウェブ部に取り付けられる取り付け面と取り付け面の近傍の折り曲げ部で折り曲げられた折り曲げ面と大梁のウェブ面に接合される折り返し部で折り返された折り返し面とを有しており、折り曲げ面と折り返し面との間には、大梁間と小梁の長さとの誤差を吸収可能な隙間が設けられた形状である場合は、大梁間と小梁の長さとの誤差を吸収可能な形状の接合部材を、簡易な構成で安価に製造できる。
【００１９】
また、大梁のウェブ部と接合部材の折り返し面及び折り曲げ面とが、大梁のウェブ部側から締結部材で締付け固定して接合されている場合は、溶接接合する場合に比して、より施工性がよい。
【００２０】
さらに、締結部材が、タッピングビスである場合は、わざわざ大梁の建て方精度のバラツキ等を考慮しなくても、接合部材の折り返し面及び折り曲げ面に予め孔を設けずに、ネジドライバーなどを用いてタッピングビスをねじ込むだけで小梁を大梁間に接合することができ、さらにより施工性がよい。
【００２１】
このような本発明の柱・梁接合構造は、梁の端部に、柱間と梁の長さとの誤差を吸収可能な形状の接合部材の内側が予め取り付けられており、梁は柱間に挿入され、接合部材の外側が柱のウェブ部に接合されている構成とされている。よって、梁の端部に、柱間と梁の長さとの誤差を吸収可能な形状の接合部材の内側が予め取り付けられているため、それを柱間に挿入して接合するだけでよく、柱側にガゼットプレートなどの接合部材を予め取り付けておく従来の柱・梁接合構造と比して施工性が良い。そのうえ、このように施工性が良いため、ひいては経済的に実施できる。
【００２２】
ここで、接合部材が、梁の端部のウェブ部に取り付けられる取り付け面と取り付け面の近傍の折り曲げ部で折り曲げられた折り曲げ面と柱のウェブ面に接合される折り返し部で折り返された折り返し面とを有しており、折り曲げ面と折り返し面との間には、柱間と梁の長さとの誤差を吸収可能な隙間が設けられた形状である場合は、柱間と梁の長さとの誤差を吸収可能な形状の接合部材を、簡易な構成で安価に製造できる。
【００２３】
また、柱のウェブ部と接合部材の折り返し面及び折り曲げ面とが、柱のウェブ部側から締結部材で締付け固定して接合されている場合は、溶接接合する場合に比して、より施工性がよい。
【００２４】
さらに、締結部材が、タッピングビスである場合は、わざわざ柱の建て方精度のバラツキ等を考慮しなくても、接合部材の折り返し面及び折り曲げ面に予め孔を設けずに、ネジドライバーなどを用いてタッピングビスをねじ込むだけで梁を柱間に接合することができ、さらにより施工性がよい。
【発明を実施するための最良の形態】
【００２５】
以下、本発明を実現する最良の形態を、図面に示す実施例１，２に基づいて説明する。
【実施例１】
【００２６】
先ず、実施例１の梁・梁接合構造について説明する。
【００２７】
この実施例１の梁・梁接合構造は、図１及び図２に示したように、溝形鋼の大梁１，１間に溝形鋼の小梁２を接合するに際し、小梁２のウェブ部２ａの両端部に、大梁１，１間と小梁２の長さとの誤差を吸収可能な形状の接合部材３，３の内側がそれぞれ予め取り付けられている。そして、小梁２は大梁１，１間に挿入され、接合部材３，３の外側が大梁１，１のそれぞれのウェブ部１ａに接合された構成である。
【００２８】
ここで、接合部材３は、図３に示したように、小梁２の両端部のウェブ部２ａに取り付けられる取り付け面３ａと、この取り付け面３ａの近傍の折り曲げ部３ｂで略直角に上側に折り曲げられた折り曲げ面３ｃと大梁１，１のウェブ面１ａに接合される折り返し部３ｄで折り曲げ面３ｃと略平行に折り返された折り返し面３ｅとを有している。そして、折り曲げ面３ｃと折り返し面３ｅとの間には、大梁１，１間と小梁２の長さとの誤差を吸収可能な隙間３ｆが設けられた形状である。
【００２９】
この接合部材３には、折り曲げ部３ｂと折り返し部３ｄの両端部に切り欠き３０Ａ，３０Ａがそれぞれ設けられており、曲げ加工が容易にできるように構成されている。
【００３０】
或いは、図４に示したように、折り曲げ部３ｂと折り返し部３ｄの中間部に切り欠き３０Ｂをそれぞれ設けて、曲げ加工が容易にできるように構成してもよい。
【００３１】
また、図２と図５に示したように、大梁１，１のそれぞれのウェブ部１ａと接合部材３の折り返し面３ｅ及び折り曲げ面３ｃとは、大梁１，１のそれぞれのウェブ部１ａ側に設けておいたビス孔１ｂ，１ｂから締結部材としての２本のタッピングビス４，４で締付け固定して接合されている。
【００３２】
但し、この締結部材としてのタッピングビス４の数は片側を各２本、計４本で実施しているが、これに限定されず、必要な強度に応じた本数を用いればよい。
【００３３】
次に、この実施例１の梁・梁接合構造の施工手順について説明する。
【００３４】
先ず、図６に示したように、内法寸法Ｌ１の大梁１，１間に、この内法寸法Ｌ１より若干長い寸法Ｌ２の予め接合部材３，３を両端に取り付けた小梁２を挿入する。
【００３５】
すると、大梁１，１間の内法寸法Ｌ１と接合部材３，３を両端に取り付けた小梁２の長さ寸法Ｌ２との間の誤差を吸収して接合部材３，３が、図７に示したように変形する。
【００３６】
そして、タッピングビス４を用意して、図８に示したように、大梁１のビス孔１ｂからタッピングビス４を挿入し、ネジドライバー（図示せず）などを用いてそのドリル部４ａでまずは接合部材３の折り返し面３ｅに孔をあける。
【００３７】
続いて、図９に示したように、ドリル部４ａにより接合部材３の折り曲げ面３ｃにも孔をあける。
【００３８】
続いて、図１０に示したように、タッピングビス４を回して接合部材３の折り返し面３ｅにネジ切り部４ｂをねじ込む。
【００３９】
さらに、図１１に示したように、タッピングビス４を回して接合部材３の折り曲げ面３ｃにもネジ切り部４ｂをねじ込む。
【００４０】
この際、タッピングビス４のネジ切り部４ｂのネジ山のピッチは一定なので、折り曲げ面３ｃと折り返し面３ｄとの距離Ｅは一定に保たれるので、接合部材３の形状は、この状態に維持される。
【００４１】
最終的に、図５に示したように、頭４ｃが大梁１のウェブ部１ａの表面に密着するまでタッピングビス４をねじ込んで、実施例１の梁・梁接合構造が完成する。
【００４２】
次に、この実施例１の梁・梁接合構造の作用効果について説明する。
【００４３】
このような本発明の梁・梁接合構造は、小梁２の両端部に、大梁１，１間と小梁２の長さとの誤差を吸収可能な形状の接合部材３，３の内側が予め取り付けられており、小梁２は大梁１，１間に挿入され、接合部材３，３の外側が大梁１のウェブ部１ａにそれぞれ接合されている構成とされている。
【００４４】
よって、小梁２の両端部に、大梁１，１間と小梁２の長さとの誤差を吸収可能な形状の接合部材３，３の内側が予め取り付けられているため、それを大梁１，１間に挿入して接合するだけでよく、大梁１，１側にガゼットプレートなどの接合部材を予め取り付けておく従来の梁・梁接合構造と比して施工性が良い。
【００４５】
そのうえ、このように施工性が良いため、ひいては経済的に実施できる。
【００４６】
ここで、接合部材３が、小梁２の端部のウェブ部２ａに取り付けられる取り付け面３ａと取り付け面３ａの近傍の折り曲げ部３ｂで折り曲げられた折り曲げ面３ｃと大梁１のウェブ面１ａに接合される折り返し部３ｄで折り返された折り返し面３ｅとを有している。
【００４７】
そして、折り曲げ面３ｃと折り返し面３ｅとの間には、大梁１，１間と小梁２の長さとの誤差を吸収可能な隙間３ｆが設けられた形状であるので、大梁１，１間と小梁２の長さとの誤差を吸収可能な形状の接合部材３を、簡易な構成で安価に製造できる。
【００４８】
また、大梁１のウェブ部１ａと接合部材３の折り返し面３ｅ及び折り曲げ面３ｃとが、大梁１のウェブ部１ａ側から締結部材としてのタッピングビス４で締付け固定して接合されているので、溶接接合する場合に比して、より施工性がよい。
【００４９】
さらに、締結部材としてタッピングビス４，・・・を用いているので、わざわざ大梁１，１の建て方精度のバラツキ等を考慮しなくても、接合部材３の折り返し面３ｅ及び折り曲げ面３ｃに予め孔を設けずに、ネジドライバーなどを用いてタッピングビス４，・・・をねじ込むだけで小梁２を大梁１，１間に接合することができ、さらにより施工性がよい。
【実施例２】
【００５０】
次に、実施例２の柱・梁接合構造について説明する。
【００５１】
この実施例２の柱・梁接合構造は、図１２及び図１３に示したように、溝形鋼の柱１０，１０間に溝形鋼の梁２０を接合するに際し、梁２０のウェブ部２０ａの両端部に、柱１０，１０間と梁２０の長さとの誤差を吸収可能な形状の接合部材３，３の内側がそれぞれ予め取り付けられている。そして、梁２０は柱１０，１０間に挿入され、接合部材３，３の外側が柱１０，１０のそれぞれのウェブ部１０ａに接合された構成である。
【００５２】
ここで、接合部材３は、図３に示したように、梁２０の両端部のウェブ部２０ａに取り付けられる取り付け面３ａと、この取り付け面３ａの近傍の折り曲げ部３ｂで略直角に上側に折り曲げられた折り曲げ面３ｃと柱１０，１０のウェブ面１０ａに接合される折り返し部３ｄで折り曲げ面３ｃと略平行に折り返された折り返し面３ｅとを有している。そして、折り曲げ面３ｃと折り返し面３ｅとの間には、柱１０，１０間と梁２０の長さとの誤差を吸収可能な隙間３ｆが設けられた形状である。
【００５３】
この接合部材３には、折り曲げ部３ｂと折り返し部３ｄの両端部に切り欠き３０Ａ，３０Ａがそれぞれ設けられており、曲げ加工が容易にできるように構成されている。
【００５４】
或いは、図４に示したように、折り曲げ部３ｂと折り返し部３ｄの中間部に切り欠き３０Ｂをそれぞれ設けて、曲げ加工が容易にできるように構成してもよい。
【００５５】
また、図１３と図１４に示したように、柱１０，１０のそれぞれのウェブ部１０ａと接合部材３の折り返し面３ｅ及び折り曲げ面３ｃとは、柱１０，１０のそれぞれのウェブ部１０ａ側に設けておいたビス孔１０ｂ，１０ｂから締結部材としての２本のタッピングビス４，４で締付け固定して接合されている。
【００５６】
但し、この締結部材としてのタッピングビス４の数は片側を各２本、計４本で実施しているが、これに限定されず、必要な強度に応じた本数を用いればよい。
【００５７】
次に、この実施例２の柱・梁接合構造の施工手順について説明する。
【００５８】
先ず、図１５に示したように、内法寸法Ｌ１の柱１０，１０間に、この内法寸法Ｌ１より若干長い寸法Ｌ２の予め接合部材３，３を両端に取り付けた梁２０を挿入する。
【００５９】
すると、柱１０，１０間の内法寸法Ｌ１と接合部材３，３を両端に取り付けた梁２０の長さ寸法Ｌ２との間の誤差を吸収して接合部材３，３が、図１６に示したように変形する。
【００６０】
そして、タッピングビス４を用意して、図１７に示したように、柱１０のビス孔１０ｂからタッピングビス４を挿入し、ネジドライバー（図示せず）などを用いてそのドリル部４ａでまずは接合部材３の折り返し面３ｅに孔をあける。
【００６１】
続いて、図１８に示したように、ドリル部４ａにより接合部材３の折り曲げ面３ｃにも孔をあける。
【００６２】
続いて、図１９に示したように、タッピングビス４を回して接合部材３の折り返し面３ｅにネジ切り部４ｂをねじ込む。
【００６３】
さらに、図２０に示したように、タッピングビス４を回して接合部材３の折り曲げ面３ｃにもネジ切り部４ｂをねじ込む。
【００６４】
この際、タッピングビス４のネジ切り部４ｂのネジ山のピッチは一定なので、折り曲げ面３ｃと折り返し面３ｄとの距離Ｅは一定に保たれるので、接合部材３の形状は、この状態に維持される。
【００６５】
最終的に、図１４に示したように、頭４ｃが柱１０のウェブ部１０ａの表面に密着するまでタッピングビス４をねじ込んで、実施例２の梁・梁接合構造が完成する。
【００６６】
次に、この実施例２の柱・梁接合構造の作用効果について説明する。
【００６７】
このような本発明の柱・梁接合構造は、梁２０の両端部に、柱１０，１０間と梁２０の長さとの誤差を吸収可能な形状の接合部材３，３の内側が予め取り付けられており、梁２０は柱１０，１０間に挿入され、接合部材３，３の外側が柱１０のウェブ部１０ａにそれぞれ接合されている構成とされている。
【００６８】
よって、梁２０の両端部に、柱１０，１０間と梁２０の長さとの誤差を吸収可能な形状の接合部材３，３の内側が予め取り付けられているため、それを柱１０，１０間に挿入して接合するだけでよく、柱１０，１０側にガゼットプレートなどの接合部材を予め取り付けておく従来の柱・梁接合構造と比して施工性が良い。
【００６９】
そのうえ、このように施工性が良いため、ひいては経済的に実施できる。
【００７０】
ここで、接合部材３が、梁２０の端部のウェブ部２０ａに取り付けられる取り付け面３ａと取り付け面３ａの近傍の折り曲げ部３ｂで折り曲げられた折り曲げ面３ｃと柱１０のウェブ面１０ａに接合される折り返し部３ｄで折り返された折り返し面３ｅとを有している。
【００７１】
そして、折り曲げ面３ｃと折り返し面３ｅとの間には、柱１０，１０間と梁２０の長さとの誤差を吸収可能な隙間３ｆが設けられた形状であるので、柱１０，１０間と梁２０の長さとの誤差を吸収可能な形状の接合部材３を、簡易な構成で安価に製造できる。
【００７２】
また、柱１０のウェブ部１０ａと接合部材３の折り返し面３ｅ及び折り曲げ面３ｃとが、柱１０のウェブ部１０ａ側から締結部材としてのタッピングビス４で締付け固定して接合されているので、溶接接合する場合に比して、より施工性がよい。
【００７３】
さらに、締結部材としてタッピングビス４，・・・を用いているので、わざわざ柱１０，１０の建て方精度のバラツキ等を考慮しなくても、接合部材３の折り返し面３ｅ及び折り曲げ面３ｃに予め孔を設けずに、ネジドライバーなどを用いてタッピングビス４，・・・をねじ込むだけで梁２０を柱１０，１０間に接合することができ、さらにより施工性がよい。
【００７４】
以上、図面を参照して、本発明の最良の実施の形態について実施例１，２をもとに詳述してきたが、具体的な構成は、上記した実施例１，２に限らず、本発明の要旨を逸脱しない程度の設計的変更は、本発明に含まれる。
【００７５】
例えば、上記した実施例１の梁・梁接合構造では、大梁１と小梁２として溝形鋼を使用したが、これに限定されず、これらにＨ形鋼などを使用して実施してもよい。
【００７６】
上記した実施例２の柱・梁接合構造では、柱１０と梁２０として溝形鋼を使用したが、これに限定されず、これらにＨ形鋼などを使用して実施してもよい。
【図面の簡単な説明】
【００７７】
【図１】本発明の実施例１の梁・梁接合構造の概略構成を示す平面図である。
【図２】図１におけるＡ−Ａ線矢視断面図である。
【図３】本発明に使用される接合部材を示す斜視図である。
【図４】本発明に使用される接合部材を示す斜視図である。
【図５】図２におけるＢ−Ｂ線矢視断面図である。
【図６】本発明の実施例１の梁・梁接合構造における大梁間への小梁の挿入段階を示す説明図である。
【図７】大梁と小梁との接合段階を示す説明図である。
【図８】大梁と小梁との接合段階を示す説明図である。
【図９】大梁と小梁との接合段階を示す説明図である。
【図１０】大梁と小梁との接合段階を示す説明図である。
【図１１】大梁と小梁との接合段階を示す説明図である。
【図１２】本発明の実施例２の柱・梁接合構造の概略構成を示す正面図である。
【図１３】図１２の柱・梁接合構造の平面図である。
【図１４】図１３におけるＣ−Ｃ線矢視断面図である。
【図１５】本発明の実施例２の柱・梁接合構造における柱間への梁の挿入段階を示す説明図である。
【図１６】柱と梁との接合段階を示す説明図である。
【図１７】柱と梁との接合段階を示す説明図である。
【図１８】柱と梁との接合段階を示す説明図である。
【図１９】柱と梁との接合段階を示す説明図である。
【図２０】柱と梁との接合段階を示す説明図である。
【符号の説明】
【００７８】
１      大梁
１ａ    大梁のウェブ部
２      小梁
２ａ    小梁のウェブ部
３      接合部材
３ａ    取り付け面
３ｂ    折り曲げ部
３ｃ    折り曲げ面
３ｄ    折り返し部
３ｅ    折り返し面
３ｆ    隙間
４      タッピングビス（締結部材）
１０    柱
１０ａ  柱のウェブ部
２０    梁
２０ａ  梁のウェブ部
【図１】
0005123687.tif 000002
【図２】
0005123687.tif 000003
【図３】
0005123687.tif 000004
【図４】
0005123687.tif 000005
【図５】
0005123687.tif 000006
【図６】
0005123687.tif 000007
【図７】
0005123687.tif 000008
【図８】
0005123687.tif 000009
【図９】
0005123687.tif 000010
【図１０】
0005123687.tif 000011
【図１１】
0005123687.tif 000012
【図１２】
0005123687.tif 000013
【図１３】
0005123687.tif 000014
【図１４】
0005123687.tif 000015
【図１５】
0005123687.tif 000016
【図１６】
0005123687.tif 000017
【図１７】
0005123687.tif 000018
【図１８】
0005123687.tif 000019
【図１９】
0005123687.tif 000020
【図２０】
0005123687.tif 000021